(57)【要約】【課題】  サイクロン集塵装置を備える電機掃除機において、空気を濾過するフィルタの清掃を空気を濾過するフィルタを取り外すことなくサイクロン分離中連続的に行なうことのできる、集塵装置を提供することである。【解決手段】本発明に係る空気を濾過するフィルタの清掃を空気を濾過するフィルタを取り外すことなくサイクロン分離中連続的に行なうことのできる集塵装置。【選択図】図１
2013000550.tif 000002
【特許請求の範囲】
【請求項１】
サイクロン集塵装置を備える電機掃除機には、円筒状の捕集容器の円周部に設けられた空気吸い込み部から吸い込まれた空気を捕集容器の内周面に沿って旋回させた後、円筒状の捕集容器の中心部に塵埃を捕集する内筒フィルタ部を備えており、塵埃を含む空気から塵埃を分離する集塵装置であって、空気が流入する流入口および空気の出口となる流出口を有し、空気から分離された塵埃が堆積する集塵容器と、前記集塵容器の内部に配置され、前記流入口から前記流出口へ向かう空気が流通するように設けられた、軸線回りに相対的に回転可能な円形状リングと、内筒フィルタへ流入する空気を濾過するフィルタとを備え、空気を濾過する内筒フィルタの外周に付着した塵埃の清掃を空気を濾過するフィルタを取り外すことなくサイクロン分離中連続的に行なうことのできる集塵装置。
【請求項２】
前期回転部の円形状リングの一箇所または数箇所に、垂直に交わるように突起部を設け、前期回転部の清掃面積を広くする、請求項１に記載の集塵装置。
【請求項３】
前期回転部に設けられた突起部は、接続部の結び目、回転を誘発する羽根状に形成されている、請求項１または請求項２のいずれかに記載の集塵装置。
【請求項４】
前期回転部の円形状リングは、ゴム、布、金属、ブラシ等の素材からなる、請求項１または請求項３のいずれかに記載の集麈装置。
【発明の詳細な説明】
【技術分野】
【０００１】本発明は、サイクロン式真空掃除機の内筒フィルタの清掃装置に関するものである。
【背景技術】
【０００２】従来のサイクロン集塵装置を備えた掃除機が、たとえば特許文献１に開示されている。サイクロン集塵装置は、略円筒状の捕集容器の円周部に設けられた空気吸い込み部から吸い込まれた空気を捕集容器の内周面に沿って旋回させた後、フィルタ手段を経て、捕集容器に設けられた排気部から捕集容器内の空気を排気するものである。サイクロン集塵装置では、空気に含まれる比較的大きい塵埃を旋回させることで遠心力によって捕集容器の底部で捕集し、空気流に乗って飛翔する比較的小さい塵埃については、空気流中におかれたフィルタ手段によって捕集する。
【先行技術文献】
【特許文献】
【０００３】
【特許文献１】特開２００６−７５５８４号公報
【特許文献２】特開２００５−１３３１２号公報
【特許文献３】特開２０１０−９４４３８号公報
【発明の概要】
【発明が解決しようとする課題】
【０００４】特許文献１に記載の集塵装置は、略円筒状の捕集容器の円周部に設けられた空気吸い込み部から吸い込まれた空気を捕集容器の内周面に沿って旋回させた後、内筒内パイプ部フィルタ手段を経て、塵埃を捕集するが塵埃がフィルタ部を目詰まりさせるという問題があった。【０００５】特許文献２では、メッシュ部の塵埃を取り除くブラシが開示されているが、使用者によって操作されるハンドルを上方より押し下げることによりブラシを動かしてメッシュ部から塵埃を取り除くものであるため、使用者の手を煩わせるという新たな問題を生じるものであった。【０００６】特許文献３に記載の集塵装置は、塵埃付着する内筒フィルタの外部を清掃することが出来ないため塵埃がフィルタ部を目詰まりさせるという問題があった。【０００７】このような課題を解決するためには、フィルタ部の空気の通り道を妨げることがない、単純な構造のフィルタ清掃装置が必要となる。このようなサイクロンフィルタ清掃装置では、長時間連続的に使用しても集塵効率が低下することがない。【０００８】本発明は上記の問題に鑑みてなされたものであり、その主たる目的は、空気を濾過するフィルタの清掃を空気を濾過するフィルタを取り外すことなくサイクロン分離中連続的に行なうことのできる、集塵装置を提供することである。
【課題を解決するための手段】
【０００９】本発明に係るサイクロン集塵装置を備える電機掃除機には、円筒状の捕集容器の円周部に設けられた空気吸い込み部から吸い込まれた空気を捕集容器の内周面に沿って旋回させた後、円筒状の捕集容器の中心部に塵埃を捕集する内筒フィルタ部を備えており、塵埃を含む空気から塵埃を分離する集塵装置であって、空気が流入する流入口および空気の出口となる流出口を有し、空気から分離された塵埃が堆積する集塵容器と、前記集塵容器の内部に配置され、前記流入口から前記流出口へ向かう空気が流通するように設けられた、軸線回りに相対的に回転可能な円形状リングと、内筒フィルタへ流入する空気を濾過するフィルタとを備え、空気を濾過する内筒フィルタの外周に付着した塵埃の清掃を空気を濾過するフィルタを取り外すことなくサイクロン分離中連続的に行なうことのできる集塵装置。【００１０】前期回転部の円形状リングの一箇所または数箇所に、垂直に交わるように突起部を設け、前期回転部の清掃面積を広くする集塵装置。【００１１】前期回転部に設けられた突起部は、接続部の結び目、回転を誘発する羽根状に形成されている集塵装置。【００１２】前期回転部の円形状リングは、ゴム、布、金属、ブラシ等の素材からなる集塵装置。【００１３】本発明に係るサイクロン集塵装置を備える電気掃除機は、上記のいずれかの局面の集塵装置を備える。
【発明の効果】
【００１４】本発明の集塵装置によると、フィルタに対して相対的に回転する円形リングにフィルタを清掃する機能を持たせることによって、空気を濾過する内筒フィルタの外周に付着した塵埃の清掃を空気を濾過するフィルタを取り外すことなくサイクロン分離中連続的に行なうことができる。
【図面の簡単な説明】
【図１】本発明の実施の形態に係るサイクロン集塵装置の内部構造を説明するための断面図である。
【図２】  サイクロン集塵装置の内部構造を説明するための断面図である。
【図３】  円形状リングに設けられている突起部の詳細図である。
【００１５】内筒フィルタの一部に装着する内筒フィルタは単純な構造で、掃除機本体の形態を変更することなく簡易に取り付けることが可能である
【発明を実施するための形態】
【００１６】以下、図面に基づいてこの発明の実施の形態を説明する。なお、以下の図面において、同一または相当する部分には同一の参照番号を付し、その説明は繰返さない。
【００１７】なお、以下に説明する実施の形態において、各々の構成要素は、特に記載がある場合を除き、本発明にとって必ずしも必須のものではない。また、以下の実施の形態において、個数、量などに言及する場合、特に記載がある場合を除き、上記個数などは例示であり、本発明の範囲は必ずしもその個数、量などに限定されない。
【００１８】図１は、本発明の実施の形態に係るサイクロン集塵装置の内部構造を説明するための断面図である。図２は、サイクロン集塵装置の内部構造を説明するための断面斜視図である。図３は、回転部の円形状リングに設けられている突起部の実施例を示した詳細図である。
【００１９】サイクロン集塵装置Ｙでは、集塵容器１１、内筒１２、上部フィルタユニット１３、および塵埃受部１４が、略円筒状の集塵容器１１の垂直方向に延びる中心軸である垂直中心軸Ｐを中心に、同軸上に配置されている。また、サイクロン集塵装置Ｙは、掃除機本体部１に対して着脱可能に構成されている。集塵容器１１の内部には、内筒フィルタ１２２を備えた内筒１２が配置されている。
【００２０】サイクロン集塵装置Ｙの下部に配置された集塵容器１１は、内周面１１ｃが略円筒状で、且つ外形も略円筒状の容器である。集麈容器１１は、サイクロン集塵装置Ｙの筐体１０に対し着脱可能に構成されている。ユーザは、掃除機本体部１からサイクロン集塵装置Ｙを取り出した後、集塵容器１１内の塵埃を外部に放出して、塵埃を廃棄する。
【００２１】さらに、集塵容器１１には、接続ホース（図１参照）が接続される接続部１１１が設けられている。吸気口部２から接続管３および接続ホースを通じて吸い込まれた空気は、接続部１１１から集塵容器１１内に流入する。
【００２２】このサイクロン集塵装置Ｙでは、接続部１１１の集塵容器１１への空気流入口１１１ａは、略円筒状の集塵容器１１の円周部に設けられており、接続ホースから流入する空気が集塵容器１１内で旋回するように形成されている。具体的には、空気流入口１１１ａが集塵容器１１の接線方向に向くように形成されていることで、集塵容器１１では、空気流入口１１１ａから吸い込まれた空気が集塵容器１１の内周面１１ｃに沿って旋回する。
【００２３】このとき、旋回する空気に含まれる比較的大きい捕集対象物である綿ホコリなどの塵埃は、旋回による遠心力で集塵容器１１の内周面１１ｃに押し付けられ、内周面１１ｃから抵抗を受けるために旋回の速度を失って、旋回空気から分離（遠心分離）されて集塵容器１１の底に落下する。空気流入口１１１ａから吸い込まれた空気に含まれる塵埃は、集塵容器１１において空気から遠心分離され、集塵容器１１の底部の集塵部１０５に収容され捕集される。つまり、サイクロン集塵装置Ｙは、塵埃を含む空気を流通させ、旋回により気流から塵埃を遠心分離させる、サイクロン分離装置として機能する。空気から分離された塵埃は、集塵容器１１の集塵部１０５に堆積する。
【００２４】一方、塵埃が分離された後の空気は、矢印１１２ａで示す排気経路１１２に沿って集塵容器１１から流出し、流出口１１３を経由して、掃除機本体部１に設けられた図示しない排気口から外部に排出される。ここで、集塵容器１１から排気口までの排気経路１１２上には、内筒１２、塵埃受部１４および上部フィルタユニット１３が順に配置されている。集塵容器１１内の空気は、集塵容器１１に設けられた内筒１２を経由して集塵容器１１から排出される。集塵容器１１から排出された空気は、内筒フィルタ１２２および上部フィルタユニット１３を経て、流出口１１３から集塵容器１１の外部へ排気される。
【００２５】このとき、空気流中の比較的小さい捕集対象物である塵埃は、内筒フィルタ１２２、上部フィルタユニット１３などにおいて捕集される。比較的細かい塵埃は、内筒１２および上部フィルタユニット１３に設けられたフィルタによって取り除かれる。集塵容器１１から流出した比較的細かい塵埃を含む空気は、内筒フィルタ１２２および上部フィルタユニット１３を経由してサイクロン集塵装置Ｙの内部を流通する。内筒フィルタ１２２および上部フィルタユニット１３において、空気から塵埃がさらに分離される。内筒フィルタ１２２および上部フィルタユニット１３は、フィルタ手段の一例である。
【００２６】また、内筒１２の上部には、集塵容器１１で塵埃が遠心分離された後の空気を、上部フィルタユニット１３に向けて排気するための内筒排気口１２１が形成されている。内筒１２の外周側には、内筒１２の円筒面全体を覆う円筒状に形成された、内筒フィルタ１２２が設けられている。内筒フィルタ１２２は、内筒フィルタ１２２を通過して流れる空気を濾過する。たとえば、内筒フィルタ１２２は、金属製のメッシュを一層または複数層重ね合わせて形成されたエアフィルタである。内筒フィルタ１２２はまた、一定の間隔を隔てて一定のパターンで多数の貫通孔が側面に形成された中空の円筒体であってもよい。
【００２７】内筒１２の内筒フィルタ１２２で濾過された後の空気は、内筒１２内を経由して、サイクロン集塵装置Ｙの上部に配置された上部フィルタユニット１３に導かれる。図２に示すように、上部フィルタユニット１３は、ＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）１３１、フィルタ除塵部材１３２および傾斜除塵部材１３４などを有している。ＨＥＰＡフィルタ１３１は、内筒１２から排気されて排気経路１１２上を流れる空気をさらに濾過する、エアフィルタの一種である。
【００２８】内筒フィルタ１２２は、略円筒形状リングに形成されている。円形状リング２０１は、内筒内パイプ１２２の円筒形状の側部外周側を覆うように配置されている。図３に示すように図３に示すように円形状リング２０１の一箇所には突起部２０２が形成されていることにより回転により清掃面積を増やすことができる。
【００２９】また図３に示すようにたとえば突起部を設ることによりに円形状リングの重心が変動し円形状２０１リングの回転に偏りが生じ回転運動中に上下運動をするよって内筒フィルタにこの機能をさえぎることのない細いリングでも全体をフィルタ掃除することがかのうである。突起部は図３の実施例以外にむずびめ、たとえばリングの接続部等が考えられる。
【００３０】塵埃受部１４の中央部には、内筒１２に向かって開口する開口１４ａが形成されており、この開口１４ａは、集塵容器１１からの空気の出口となる流出口として機能する。回転部としての内筒内パイプ１２４は、空気流入口１１１ａから開口１４ａへ向かって流れる空気が、内部を流通するように設けられている。図１中の矢印１１２ａに示す排気経路１１２に沿って、内筒内パイプ１２４の側部を経由して内筒内パイプ１２４の内部へ空気が流入する。内筒内パイプ１２４の、上部フィルタユニット１３に対向する上方側の端部を経由して、内筒内パイプ１２４の外部へ空気が流出する。
【００３１】内筒フィルタ１２２は、内筒内パイプ１２４へ流入する空気を濾過して、空気に含まれる塵埃を除去する。集塵容器１１において遠心分離されなかった比重の大きい塵埃は、集塵容器１１から内筒内パイプ１２４へ向かって気流に乗って移動し、内筒内パイプ１２４の外周側面に設けられた内筒フィルタ１２２によって空気から分離されて除去される。
【００３２】以上のように構成された電気掃除機の動作について、以下に説明する。電気掃除機の電源を入れて、掃除機本体部１に内蔵されている電動送風機を起動して吸引動作を開始し、吸気口部２から塵埃を含む空気を吸込む。塵埃を含んだ空気は、吸気口部２から接続管３および接続ホースを通って、掃除機本体部１内部のサイクロン集塵装置Ｙに導入される。電動送風機により吸引された空気は、分離部１０４の周方向に形成された接続部１１１の空気流入口１１１ａから、集塵容器１１の分離部１０４に吸い込まれる。
【００３３】集塵容器１１の分離部１０４に流入した気流は、分離部１０４の円筒状の内周面１１ｃに沿って高速で旋回する。旋回気流中の比較的大きい塵埃には遠心力が作用して気流から分離され、集塵容器１１の内壁へ押し付けられる。その後気流は旋回しながら、集塵部１０５に入る。二点鎖線で示す矢印Ａのように旋回する気流（主流）は、集塵部１０５の底面に到達した後は上昇に転じる。
【００３４】これまでの説明においては、空気を捕集容器の内周面に沿って旋回させて塵埃を捕集するサイクロン集塵装置Ｙを例として説明したが、電気掃除機が備える集塵装置はサイクロン方式に限られるものではない。たとえば、塵埃を含む空気が通過する回転可能なフィルタと、当該フィルタの表面を掃拭するワイパーとを有する集塵装置を、本発明の電気掃除機に適用してもよい。
【００３５】以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００３６】１０  筐体、１１  集塵容器、１１ｃ  内周面、１２  内筒、１２ａ  凹部、１３  上部フィルタユニット、１４  塵埃受部、１４ａ  開口、１４ｂ  テーパ面、１４ｃ  支持部、１０４  分離部、１０５  集塵部、１２１  内筒排気口、１２２  内筒フィルタ、１２２ａ  突起部、１２３ｃ  円盤状遮蔽部材、１２４  内筒内パイプ、１２４ａ  フランジ部、１３１  ＨＥＰＡフィルタ、１３２  フィルタ除塵部材、１３４ｃ  係合部、１３４  傾斜除塵部材、Ｐ  垂直中心軸、
【図１】
2013000550.tif 000003
【図２】
2013000550.tif 000004
【図３】
2013000550.tif 000005
【図４】
2013000550.tif 000006
【図５】
2013000550.tif 000007
【手続補正書】
【提出日】平成23年8月30日(2011.8.30)
【手続補正１】
【補正対象書類名】明細書
【補正対象項目名】全文
【補正方法】変更
【補正の内容】
【発明の詳細な説明】
【技術分野】
【０００１】本発明は、サイクロン式真空掃除機の内筒フィルタの清掃装置に関するものである。
【背景技術】
【０００２】従来のサイクロン集塵装置を備えた掃除機が、たとえば特許文献１に開示されている。サイクロン集塵装置は、略円筒状の捕集容器の円周部に設けられた空気吸い込み部から吸い込まれた空気を捕集容器の内周面に沿って旋回させた後、フィルタ手段を経て、捕集容器に設けられた排気部から捕集容器内の空気を排気するものである。サイクロン集塵装置では、空気に含まれる比較的大きい塵埃を旋回させることで遠心力によって捕集容器の底部で捕集し、空気流に乗って飛翔する比較的小さい塵埃については、空気流中におかれたフィルタ手段によって捕集する。
【先行技術文献】
【特許文献】
【０００３】
【特許文献１】特開２００６−７５５８４号公報
【特許文献２】特開２００５−１３３１２号公報
【特許文献３】特開２０１０−９４４３８号公報
【発明の概要】
【発明が解決しようとする課題】
【０００４】特許文献１に記載の集塵装置は、略円筒状の捕集容器の円周部に設けられた空気吸い込み部から吸い込まれた空気を捕集容器の内周面に沿って旋回させた後、内筒内パイプ部フィルタ手段を経て、塵埃を捕集するが塵埃がフィルタ部を目詰まりさせるという問題があった。【０００５】特許文献２では、メッシュ部の塵埃を取り除くブラシが開示されているが、使用者によって操作されるハンドルを上方より押し下げることによりブラシを動かしてメッシュ部から塵埃を取り除くものであるため、使用者の手を煩わせるという新たな問題を生じるものであった。【０００６】特許文献３に記載の集塵装置は、塵埃付着する内筒フィルタの外部を清掃することが出来ないため塵埃がフィルタ部を目詰まりさせるという問題があった。【０００７】このような課題を解決するためには、フィルタ部の空気の通り道を妨げることがない、単純な構造のフィルタ清掃装置が必要となる。このようなサイクロンフィルタ清掃装置では、長時間連続的に使用しても集塵効率が低下することがない。【０００８】本発明は上記の問題に鑑みてなされたものであり、その主たる目的は、空気を濾過するフィルタの清掃を空気を濾過するフィルタを取り外すことなくサイクロン分離中連続的に行なうことのできる、集塵装置を提供することである。
【課題を解決するための手段】
【０００９】本発明に係るサイクロン集塵装置を備える電機掃除機には、円筒状の捕集容器の円周部に設けられた空気吸い込み部から吸い込まれた空気を捕集容器の内周面に沿って旋回させた後、円筒状の捕集容器の中心部に塵埃を捕集する内筒フィルタ部を備えており、塵埃を含む空気から塵埃を分離する集塵装置であって、空気が流入する流入口および空気の出口となる流出口を有し、空気から分離された塵埃が堆積する集塵容器と、前記集塵容器の内部に配置され、前記流入口から前記流出口へ向かう空気が流通するように設けられた、軸線回りに相対的に回転可能な円形状リングと、内筒フィルタへ流入する空気を濾過するフィルタとを備え、空気を濾過する内筒フィルタの外周に付着した塵埃の清掃を空気を濾過するフィルタを取り外すことなくサイクロン分離中連続的に行なうことのできる集塵装置。【００１０】前期回転部の円形状リングの一箇所または数箇所に、垂直に交わるように突起部を設け、前期回転部の清掃面積を広くする集塵装置。【００１１】前期回転部に設けられた突起部は、接続部の結び目、回転を誘発する羽根状に形成されている集塵装置。【００１２】前期回転部の円形状リングは、ゴム、布、金属、ブラシ等の素材からなる集塵装置。【００１３】本発明に係るサイクロン集塵装置を備える電気掃除機は、上記のいずれかの局面の集塵装置を備える。
【発明の効果】
【００１４】本発明の集塵装置によると、フィルタに対して相対的に回転する円形リングにフィルタを清掃する機能を持たせることによって、空気を濾過する内筒フィルタの外周に付着した塵埃の清掃を空気を濾過するフィルタを取り外すことなくサイクロン分離中連続的に行なうことができる。
【図面の簡単な説明】
【００１５】
【図１】本発明の実施の形態に係るサイクロン集塵装置の内部構造を説明するための断面図である。
【図２】サイクロン集塵装置の内部構造を説明するための断面図である。
【図３】円形状リングに設けられている突起部の詳細図である。
【図４】内筒フィルタの異なる形状への適用を示した断面図である。
【図５】内筒フィルタの異なる形状への適用を示した断面斜視図である。
【００１６】内筒フィルタの一部に装着する内筒フィルタは単純な構造で、掃除機本体の形態を変更することなく簡易に取り付けることが可能である
【発明を実施するための形態】
【００１７】以下、図面に基づいてこの発明の実施の形態を説明する。なお、以下の図面において、同一または相当する部分には同一の参照番号を付し、その説明は繰返さない。
【００１８】なお、以下に説明する実施の形態において、各々の構成要素は、特に記載がある場合を除き、本発明にとって必ずしも必須のものではない。また、以下の実施の形態において、個数、量などに言及する場合、特に記載がある場合を除き、上記個数などは例示であり、本発明の範囲は必ずしもその個数、量などに限定されない。
【００１９】図１は、本発明の実施の形態に係るサイクロン集塵装置の内部構造を説明するための断面図である。図２は、サイクロン集塵装置の内部構造を説明するための断面斜視図である。図３は、回転部の円形状リングに設けられている突起部の実施例を示した詳細図である。
【００２０】サイクロン集塵装置Ｙでは、集塵容器１１、内筒１２、上部フィルタユニット１３、および塵埃受部１４が、略円筒状の集塵容器１１の垂直方向に延びる中心軸である垂直中心軸Ｐを中心に、同軸上に配置されている。また、サイクロン集塵装置Ｙは、掃除機本体部１に対して着脱可能に構成されている。集塵容器１１の内部には、内筒フィルタ１２２を備えた内筒１２が配置されている。
【００２１】サイクロン集塵装置Ｙの下部に配置された集塵容器１１は、内周面１１ｃが略円筒状で、且つ外形も略円筒状の容器である。集塵容器１１は、サイクロン集塵装置Ｙの筐体１０に対し着脱可能に構成されている。ユーザは、掃除機本体部１からサイクロン集塵装置Ｙを取り出した後、集塵容器１１内の塵埃を外部に放出して、塵埃を廃棄する。
【００２２】さらに、集塵容器１１には、接続ホース（図１参照）が接続される接続部１１１が設けられている。吸気口部２から接続管３および接続ホースを通じて吸い込まれた空気は、接続部１１１から集塵容器１１内に流入する。
【００２３】このサイクロン集塵装置Ｙでは、接続部１１１の集塵容器１１への空気流入口１１１ａは、略円筒状の集塵容器１１の円周部に設けられており、接続ホースから流入する空気が集塵容器１１内で旋回するように形成されている。具体的には、空気流入口１１１ａが集塵容器１１の接線方向に向くように形成されていることで、集塵容器１１では、空気流入口１１１ａから吸い込まれた空気が集塵容器１１の内周面１１ｃに沿って旋回する。
【００２４】このとき、旋回する空気に含まれる比較的大きい捕集対象物である綿ホコリなどの塵埃は、旋回による遠心力で集塵容器１１の内周面１１ｃに押し付けられ、内周面１１ｃから抵抗を受けるために旋回の速度を失って、旋回空気から分離（遠心分離）されて集塵容器１１の底に落下する。空気流入口１１１ａから吸い込まれた空気に含まれる塵埃は、集塵容器１１において空気から遠心分離され、集塵容器１１の底部の集塵部１０５に収容され捕集される。つまり、サイクロン集塵装置Ｙは、塵埃を含む空気を流通させ、旋回により気流から塵埃を遠心分離させる、サイクロン分離装置として機能する。空気から分離された塵埃は、集塵容器１１の集塵部１０５に堆積する。
【００２５】一方、塵埃が分離された後の空気は、矢印１１２ａで示す排気経路１１２に沿って集塵容器１１から流出し、流出口１１３を経由して、掃除機本体部１に設けられた図示しない排気口から外部に排出される。ここで、集塵容器１１から排気口までの排気経路１１２上には、内筒１２、塵埃受部１４および上部フィルタユニット１３が順に配置されている。集塵容器１１内の空気は、集塵容器１１に設けられた内筒１２を経由して集塵容器１１から排出される。集塵容器１１から排出された空気は、内筒フィルタ１２２および上部フィルタユニット１３を経て、流出口１１３から集塵容器１１の外部へ排気される。
【００２６】このとき、空気流中の比較的小さい捕集対象物である塵埃は、内筒フィルタ１２２、上部フィルタユニット１３などにおいて捕集される。比較的細かい塵埃は、内筒１２および上部フィルタユニット１３に設けられたフィルタによって取り除かれる。集塵容器１１から流出した比較的細かい塵埃を含む空気は、内筒フィルタ１２２および上部フィルタユニット１３を経由してサイクロン集塵装置Ｙの内部を流通する。内筒フィルタ１２２および上部フィルタユニット１３において、空気から塵埃がさらに分離される。内筒フィルタ１２２および上部フィルタユニット１３は、フィルタ手段の一例である。
【００２７】また、内筒１２の上部には、集塵容器１１で塵埃が遠心分離された後の空気を、上部フィルタユニット１３に向けて排気するための内筒排気口１２１が形成されている。内筒１２の外周側には、内筒１２の円筒面全体を覆う円筒状に形成された、内筒フィルタ１２２が設けられている。内筒フィルタ１２２は、内筒フィルタ１２２を通過して流れる空気を濾過する。たとえば、内筒フィルタ１２２は、金属製のメッシュを一層または複数層重ね合わせて形成されたエアフィルタである。内筒フィルタ１２２はまた、一定の間隔を隔てて一定のパターンで多数の貫通孔が側面に形成された中空の円筒体であってもよい。
【００２８】内筒１２の内筒フィルタ１２２で濾過された後の空気は、内筒１２内を経由して、サイクロン集塵装置Ｙの上部に配置された上部フィルタユニット１３に導かれる。図２に示すように、上部フィルタユニット１３は、ＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）１３１、フィルタ除塵部材１３２および傾斜除塵部材１３４などを有している。ＨＥＰＡフィルタ１３１は、内筒１２から排気されて排気経路１１２上を流れる空気をさらに濾過する、エアフィルタの一種である。
【００２９】内筒フィルタ１２２は、略円筒形状リングに形成されている。円形状リング２０１は、内筒内パイプ１２２の円筒形状の側部外周側を覆うように配置されている。図３に示すように図３に示すように円形状リング２０１の一箇所には突起部２０２が形成されていることにより回転により清掃面積を増やすことができる。
【００３０】また図３に示すようにたとえば突起部を設ることによりに円形状リングの重心が変動し円形状２０１リングの回転に偏りが生じ回転運動中に上下運動をするよって内筒フィルタにこの機能をさえぎることのない細いリングでも全体をフィルタ掃除することがかのうである。突起部は図３の実施例以外にむずびめ、たとえばリングの接続部等が考えられる。
【００３１】塵埃受部１４の中央部には、内筒１２に向かって開口する開口１４ａが形成されており、この開口１４ａは、集塵容器１１からの空気の出口となる流出口として機能する。回転部としての内筒内パイプ１２４は、空気流入口１１１ａから開口１４ａへ向かって流れる空気が、内部を流通するように設けられている。図１中の矢印１１２ａに示す排気経路１１２に沿って、内筒内パイプ１２４の側部を経由して内筒内パイプ１２４の内部へ空気が流入する。内筒内パイプ１２４の、上部フィルタユニット１３に対向する上方側の端部を経由して、内筒内パイプ１２４の外部へ空気が流出する。
【００３２】内筒フィルタ１２２は、内筒内パイプ１２４へ流入する空気を濾過して、空気に含まれる塵埃を除去する。集塵容器１１において遠心分離されなかった比重の大きい塵埃は、集塵容器１１から内筒内パイプ１２４へ向かって気流に乗って移動し、内筒内パイプ１２４の外周側面に設けられた内筒フィルタ１２２によって空気から分離されて除去される。
【００３３】以上のように構成された電気掃除機の動作について、以下に説明する。電気掃除機の電源を入れて、掃除機本体部１に内蔵されている電動送風機を起動して吸引動作を開始し、吸気口部２から塵埃を含む空気を吸込む。塵埃を含んだ空気は、吸気口部２から接続管３および接続ホースを通って、掃除機本体部１内部のサイクロン集塵装置Ｙに導入される。電動送風機により吸引された空気は、分離部１０４の周方向に形成された接続部１１１の空気流入口１１１ａから、集塵容器１１の分離部１０４に吸い込まれる。
【００３４】集麈容器１１の分離部１０４に流入した気流は、分離部１０４の円筒状の内周面１１ｃに沿って高速で旋回する。旋回気流中の比較的大きい塵埃には遠心力が作用して気流から分離され、集塵容器１１の内壁へ押し付けられる。その後気流は旋回しながら、集塵部１０５に入る。二点鎖線で示す矢印Ａのように旋回する気流（主流）は、集塵部１０５の底面に到達した後は上昇に転じる。
【００３５】これまでの説明においては、空気を捕集容器の内周面に沿って旋回させて塵埃を捕集するサイクロン集塵装置Ｙを例として説明したが、電気掃除機が備える集塵装置はサイクロン方式に限られるものではない。たとえば、塵埃を含む空気が通過する回転可能なフィルタと、当該フィルタの表面を掃拭するワイパーとを有する集塵装置を、本発明の電気掃除機に適用してもよい。
【００３６】以上のように本発明の実施の形態について説明を行なったが、今回開示された実施の形態はすべての点で例示であって、制限的なものではないと考えられるべきである。この発明の範囲は上記した説明ではなくて特許請求の範囲によって示され、特許請求の範囲と均等の意味、および範囲内でのすべての変更が含まれることが意図される。
【符号の説明】
【００３７】１０  筐体、１１  集塵容器、１１ｃ  内周面、１２  内筒、１２ａ  凹部、１３  上部フィルタユニット、１４  塵埃受部、１４ａ  開口、１４ｂ  テーパ面、１４ｃ  支持部、１０４  分離部、１０５  集塵部、１２１  内筒排気口、１２２  内筒フィルタ、１２２ａ  突起部、１２３ｃ  円盤状遮蔽部材、１２４  内筒内パイプ、１２４ａ  フランジ部、１３１  ＨＥＰＡフィルタ、１３２  フィルタ除塵部材、１３４ｃ  係合部、１３４  傾斜除塵部材、Ｐ  垂直中心軸、